(57)【要約】【課題】  医療用機器の機器状態を離れていても容易に視認できる様にする。【解決手段】  機器１の外部に外部表示灯４が設けられると共にカラーディスプレイ２を備える機器状態表示装置付医療用機器において、機器状態に応じた警告を外部表示灯４に色別表示すると同時に該色別表示と同じ表示色でカラーディスプレイ２に警告表示を行う。これにより、機器状態を離れた箇所からでも外部表示灯４で視認でき、カラーディスプレイ２の表示によっても視認可能となる。【選択図】  図１
2005087617.tif 000002
【特許請求の範囲】
【請求項１】
機器の外部に外部表示灯が設けられると共にカラーディスプレイを備える機器状態表示装置付医療用機器において、機器状態に応じた警告を前記外部表示灯に色別表示すると同時に該色別表示と同じ表示色で前記カラーディスプレイに警告表示を行う制御手段を備えることを特徴とする機器状態表示装置付医療用機器。
【請求項２】
前記警告を行う色別表示は、表示色と点滅速度とで前記機器状態を表すことを特徴とする請求項１に記載の機器状態表示装置付医療用機器。
【請求項３】
前記外部表示灯は、乳白色半透明体と、夫々の発光時に前記乳白色半透明体全体を光らせる少なくとも第１色発光体と第２色発光体を備えることを特徴とする請求項１または請求項２に記載の機器状態表示装置付医療用機器。
【請求項４】
前記外部表示灯は、機器の外部に該機器と別体に着脱自在に取り付けられることを特徴とする請求項１乃至請求項３のいずれかに記載の機器状態表示装置付医療用機器。
【請求項５】
前記外部表示灯は、複数の機器で共用されることを特徴とする請求項４に記載の機器状態表示装置付医療用機器。
【請求項６】
前記外部表示灯は、機器の外部に該機器と一体に形成されることを特徴とする請求項１乃至請求項３のいずれかに記載の機器状態表示装置付医療用機器。
【請求項７】
機器の外部に外部表示灯が設けられると共にカラーディスプレイを備える機器状態表示装置付医療用機器の制御プログラムにおいて、機器状態に応じた警告を前記外部表示灯に色別表示するステップと、該色別表示と同時に該色別表示と同じ表示色で前記カラーディスプレイに警告表示を行うステップとを備えることを特徴とする機器状態表示装置付医療用機器の制御プログラム。
【請求項８】
前記警告を行う色別表示は、表示色と点滅速度とで前記機器状態を表すことを特徴とする請求項７に記載の機器状態表示装置付医療用機器の制御プログラム。
【請求項９】
請求項７または請求項８に記載の機器状態表示装置付医療用機器の制御プログラムを記憶した記憶媒体。
【発明の詳細な説明】
【技術分野】
【０００１】
本発明は機器状態表示装置付医療用機器等に係り、特に、機器状態を離れた場所からでも容易に視認することができる機器状態表示装置付医療用機器とその制御プログラム並びにこの制御プログラムを格納した記憶媒体に関する。
【背景技術】
【０００２】
病院等の医療現場では、ＭＲＩ装置やＣＴ装置等の各種画像診断装置が使用され、夫々の画像診断装置で撮像された患者の画像データは、医療用プリンタでフィルムに印刷される。
【０００３】
病院等では、１０台程度の医療用プリンタが一室内に集約配置される例が多く、病院内各所に設置された画像診断装置からＬＡＮ等を介して画像データが医療用プリンタに伝送され、印刷される。
【０００４】
医療用プリンタは、常に正常に印刷できる状態にあることが望ましいが、印刷用紙（フィルム）の不足状態や、フィルム詰まり状態など好ましくない状態も発生する。患者の生命を預かる医療現場のプリンタ管理者は、これらの不良状態を迅速に見つけ、是正する必要があるため、従来から、一台一台の医療用プリンタに、例えば下記特許文献１記載の信号表示灯を設置している。
【０００５】
特許文献１記載の信号表示灯は、円筒状のカバーに軸方向に赤色，黄色，青色の３段の着色を行い、内部に３つの電球を仕切を設けて配置し、各電球を点灯制御することで、信号表示灯を、赤色，黄色，青色に点灯させるものである。
【０００６】
この信号表示灯を各医療用プリンタに取り付けることで、例えば医療用プリンタがフィルム詰まりの状態になったとき信号表示灯に赤色を点灯させ、フィルム不足状態になったとき信号表示灯に黄色を点灯させ、離れた場所からでもプリンタ管理者が容易に各医療用プリンタの状態を識別できる様にしている。
【０００７】
【特許文献１】特開平７―７３７０９号公報
【発明の開示】
【発明が解決しようとする課題】
【０００８】
上述した特許文献１記載の信号表示灯で各医療用プリンタの状態を表示させた場合、プリンタを設置した室内が暗ければ問題無いが、室内の照明が明るいと、電球が点灯していない箇所のカバーの色も見えてしまうため、何色が点灯しているのか識別が困難になるという問題がある。
【０００９】
また、信号表示灯だけで機器状態を表示すると、信号表示灯が故障したときその医療用プリンタの状態を判断することができなくなり、患者の生命を預かる病院では好ましくない。以上、医療用プリンタを例に説明したが、他の医療用機器でも同様である。
【００１０】
本発明の目的は、機器状態を容易に視認できる機器状態表示装置付医療用機器及びその制御プログラム並びに記憶媒体を提供することにある。
【課題を解決するための手段】
【００１１】
本発明の機器状態表示装置付医療用機器は、機器の外部に外部表示灯が設けられると共にカラーディスプレイを備える医療用機器において、機器状態に応じた警告を前記外部表示灯に色別表示すると同時に該色別表示と同じ表示色で前記カラーディスプレイに警告表示を行う制御手段を備えることを特徴とする。
【００１２】
本発明の機器状態表示装置付医療用機器では、前記警告を行う色別表示は、表示色と点滅速度とで前記機器状態を表すことを特徴とする。
【００１３】
本発明の機器状態表示装置付医療用機器では、前記外部表示灯は、乳白色半透明体と、夫々の発光時に前記乳白色半透明体全体を光らせる少なくとも第１色発光体と第２色発光体を備えることを特徴とする。
【００１４】
本発明の機器状態表示装置付医療用機器では、前記外部表示灯は、機器の外部に該機器と別体に着脱自在に取り付けられることを特徴とする。
【００１５】
本発明の機器状態表示装置付医療用機器では、前記外部表示灯は、複数の機器で共用されることを特徴とする。
【００１６】
本発明の機器状態表示装置付医療用機器では、前記外部表示灯は、機器の外部に該機器と一体に形成されることを特徴とする。
【００１７】
本発明の制御プログラムは、機器の外部に外部表示灯が設けられると共にカラーディスプレイを備える機器状態表示装置付医療用機器の制御プログラムにおいて、機器状態に応じた警告を前記外部表示灯に色別表示するステップと、該色別表示と同時に該色別表示と同じ表示色で前記カラーディスプレイに警告表示を行うステップとを備えることを特徴とする。
【００１８】
本発明の制御プログラムでは、前記警告を行う色別表示は、表示色と点滅速度とで前記機器状態を表すことを特徴とする。
【００１９】
本発明の記憶媒体は、上記の機器状態表示装置付医療用機器の制御プログラムを記憶したことを特徴とする。
【発明の効果】
【００２０】
本発明によれば、医療用機器の機器状態を離れた場所からでも容易且つ確実に視認することが可能となる。
【発明を実施するための最良の形態】
【００２１】
以下、本発明の一実施形態について、図面を参照して説明する。
【００２２】
図１は、本発明の機器状態表示装置付医療用機器の一例である医療用プリンタの概略外観図であり、図２はその上面図、図３は、その右側面図である。この医療用プリンタ１は、左上部にタッチパネル式のカラー液晶ディスプレイ２が搭載されており、このカラー液晶ディスプレイ２に各種情報を表示すると共に、ユーザからの指令を入力する様になっている。
【００２３】
医療用プリンタ１の前部には、印刷フィルム装填用のトレイ挿入口３が設けられており、また、右上部前端角部には、外部表示灯４が面ファスナや磁石によって脱着自在に装着されている。
【００２４】
図４は、外部表示灯４の外観図である。本実施形態に係る外部表示灯４は、円柱形状の乳白色半透明体５を備える。この半透明体５は、例えばアクリル製とし、プリンタ１の角部に装着する関係で、軸の全長に沿って９０度分だけ切り欠き部５ａが設けられており、この切り欠き部５ａに、面ファスナまたは磁石が取り付けられる。
【００２５】
半透明体５の切り欠き部５ａ背面には、本実施形態では、３つの発光ダイオード６Ｒ，６Ｙ，６Ｇが取り付けられており、各発光ダイオード６Ｒ，６Ｙ，６Ｇが発光されたとき、各発光光が半透明体５内に入射する様になっている。
【００２６】
発光ダイオード６Ｒは赤色発光ダイオードであり、発光ダイオード６Ｙは黄色発光ダイオードであり、発光ダイオード６Ｇは緑色発光ダイオードであるが、別の色の組み合わせの発光ダイオード、例えば赤色，緑色，青色の各発光ダイオードを取り付けてもよい。
【００２７】
本実施形態の外部表示灯４は、各色の発光ダイオード６Ｒ，６Ｙ，６Ｇに対応して半透明体５を内部で仕切る様なことはしていない。このため、発光ダイオード６Ｒを点灯すると、半透明体５全体が赤色に発光し、発光ダイオード６Ｙを点灯すると、半透明体５全体が黄色に発光し、発光ダイオード６Ｇを点灯すると、半透明体５全体が緑色に発光する。そして、いずれの発光ダイオード６Ｒ，６Ｙ，６Ｇも非点灯状態になると、半透明体５は、乳白色となる。このため、点灯した色が赤色，黄色，緑色のどの色であるか、また、非点灯状態であるかを容易且つ確実に視認可能となる。
【００２８】
図５は、医療用プリンタ１の内部構成図である。この医療用プリンタ１は、プリンタ１を統括制御すると共にカラー液晶ディスプレイ２及び外部表示灯４の連動表示制御を行うＣＰＵ１１と、院内ＬＡＮ（ローカルエリアネットワーク）７に接続される通信手段１２と、ＲＡＭ１３及びＲＯＭ１４と、院内各所に設置された図示しないＣＴ装置やＭＲＩ装置から院内ＬＡＮ７を介して送信されてきた印刷対象となる画像データを蓄積する大容量記憶手段としてのハードディスク１５と、ハードディスク１５から読み出された画像データを印刷するプリント手段１６と、前述したカラー液晶ディスプレイ２と、前述した外部表示灯４の各発光ダイオード６Ｒ，６Ｙ，６Ｇを駆動するドライバ１８と、これ等を相互に接続するバス１９とを備える。
【００２９】
ドライバ１８には、３つの出力端子Ｒ，Ｙ，Ｇが設けられており、出力端子Ｒに外部表示灯４の発光ダイオード６Ｒが接続され、出力端子Ｙに外部表示灯４の発光ダイオード６Ｙが接続され、出力端子Ｇに外部表示灯４の発光ダイオード６Ｇが接続される。
【００３０】
この医療用プリンタ１のＣＰＵ１１は、院内ＬＡＮ７を介して送信されてくる画像データを受信し、この画像データをハードディスク１５に蓄積し、印刷の順番が来た画像データをハードディスク１５から読み出してプリント手段１６でプリントアウトする。
【００３１】
また、ＣＰＵ１１は、医療用プリンタ１の機器状態を収集し、収集した機器状態に基づいて、カラー液晶ディスプレイ２と外部表示灯４とを連動して表示制御し、機器状態をプリンタ管理者に報知する。
【００３２】
図６は、ＣＰＵ１１が実行する連動表示制御処理手順が記述された制御プログラムのフローチャートである。この制御プログラムは、例えばＣＤ―ＲＯＭ等の記憶媒体に格納されていたものがハードディスク１５にインストールされ、ＣＰＵ１１によって実行される。ＣＰＵ１１は、先ずステップＳ１で医療用プリンタ１の機器状態を収集し、次のステップＳ２で、予め設定されている色テーブル２１を検索し、ステップＳ１で収集した機器状態に対応した表示色データ及び点滅速度データを取得する。
【００３３】
色テーブル２１には、図７に示す様に、各種の機器状態に対応した色データ及び点滅速度データとが予め設定されており、ＣＰＵ１１は、収集した機器状態に対応した表示色データと点滅速度データとを取得する。例えば、印刷用紙（フィルム）が無いという機器状態を収集した場合には、ユーザによる操作待ち（この例では「フィルム装填」という操作待ち）であるため、表示色「黄色」と、点滅速度データ「速く」とが取得される。
【００３４】
次のステップＳ３では、収集した機器状態に対応する表示情報を情報テーブル２２から取得する。情報テーブル２２には、各種機器状態に対応した文字情報及び表示画像のビットマップデータが予め用意されており、例えば、収集した機器状態が「フィルム無し」の場合には、「フィルムを補給」という文字情報と、これに対応した画像のビットマップデータとを取得する。尚、予めディフォルト値（ユーザが任意に設定変更可能）が設定された上記の色テーブル２１及び情報テーブル２２は、図５のハードディスク１５に格納されている。
【００３５】
次のステップＳ４では、ステップＳ３で取得した文字情報と画像のビットマップデータとを、医療用プリンタ１のカラー液晶ディスプレイ２に表示する。この表示例を図８に示す。この例では、フィルム装填箇所を示すトレイ挿入口からトレイが引き出された医療用プリンタの画像と、「フィルムを補給」という文字情報が表示される。
【００３６】
この表示に際し、本実施形態では、カラー液晶ディスプレイ２に表示されている医療用プリンタの画像中の外部表示灯の画像４ａの表示色をステップＳ２で取得した表示色で表示すると共に、取得した点滅速度で点滅表示する。上記例では、外部表示灯４の画像４ａを黄色で速く点滅表示する。この場合、ユーザの設定によって、画像４ａ部分だけでなく、カラー液晶ディスプレイ２の画面全面を黄色で速く点滅させる様にすることもできる。
【００３７】
次のステップＳ５で、ＣＰＵ１１は、ステップＳ２で取得した表示色データ及び点滅速度データに基づいて図５の外部表示灯用ドライバ１８を制御し、出力端子Ｙの出力信号を制御し、その後にこの処理を終了する。これにより、外部表示灯４の発光ダイオード６Ｙが速い点滅速度で点滅駆動され、外部表示灯４の全体が黄色で速く点滅発光する。
【００３８】
尚、本実施形態では、ステップＳ５が終わるとこの連動表示制御処理を終了するが、収集した機器状態が設定値以上の緊急度の高い機器状態の場合には、表示と同時に、緊急度に応じた警報音も出力する。これにより、プリンタ管理者がプリンタを見ていない時にプリンタに緊急事態が発生してもプリンタ管理者はそれを容易且つ迅速に知ることが可能となる。また、警報音の代わりに、プリンタ管理者が所持するパーソナルハンディホンシステム（ＰＨＳ）の端末機器に通報する構成としてもよい。これにより、プリンタ管理者は、プリンタ設置室に不在であっても、プリンタ緊急事態の発生を知ることが可能となる。
【００３９】
以上述べた様に、本実施形態によれば、外部表示灯４の全体が機器状態に応じた色及び点滅速度で発光するため、他の機器状態と見間違えることがなくなり、しかも離れた箇所からでも容易に機器状態を視認することが可能となる。更に、本実施形態では、外部表示灯４の発光色，点滅速度と同じ色，点滅速度でカラー液晶ディスプレイ２も表示されるため、外部表示灯４が故障していても、容易にどの医療用プリンタに故障が発生したのか識別可能となる。
【００４０】
尚、上述した実施形態では、外部表示灯４を医療用プリンタ１の本体と別体に設けたが、例えば図１に示す医療用プリンタ１の最頂部のカバー（この部分は印刷されたフィルムをプリントアウトする箇所）を半透明体として医療用プリンタ１の周り３６０度から視認可能にすることも可能である。
【００４１】
また、外部表示灯４を医療用プリンタ１の本体と別体とした場合、複数の医療用プリンタ１で１つの外部表示灯４を共用する構成とすることも可能である。この場合、外部表示灯４内にＣＰＵを設けておき、複数の医療用プリンタ１から送信されてくる各医療用プリンタの機器状態の中から、緊急度が一番高い機器状態を識別し、その機器状態を外部表示灯４が表示する。これにより、プリンタ管理者は一番緊急度の高い機器状態を外部表示灯４で視認でき、どの医療用プリンタであるかは、各医療用プリンタのカラー液晶ディスプレイで判断できる。
【００４２】
更に、上述した実施形態では、外部表示灯４を図１の出力端子Ｒ，Ｙ，Ｇに有線接続することを前提として説明したが、外部表示灯４内にバッテリを収納することで、無線接続とすることも可能である。
【００４３】
更にまた、本実施形態の外部表示灯４は、３色の発光ダイオードを用意して各色毎の表示を行ったが、半透明体５内を仕切っていないため、３色のうちの２色の発光ダイオードを同時に発光させて混色を発光させることでもよい。また、３色に限らず、４色以上の各色発光ダイオードを設けてもよい。発光ダイオードの代わりに、他の発光体、例えば色付発光ランプを用いることでもよい。
【産業上の利用可能性】
【００４４】
本発明に係る機器状態表示装置は、離れた箇所からでも容易に機器状態を視認でき、また、その機器状態を当該機器のディスプレイでも確認可能なため、患者の生命を預かる医療現場に設置される医療用プリンタ等の医療用機器に適用すると有用である。
【図面の簡単な説明】
【００４５】
【図１】本発明の一実施形態に医療用プリンタの外観図である。
【図２】図１に示す医療用プリンタの上面図である。
【図３】図１に示す医療用プリンタの右側面図である。
【図４】図１に示す医療用プリンタに装着される外部表示灯の全体図である。
【図５】図１に示す医療用プリンタの電気制御系のブロック構成図である。
【図６】図５に示すＣＰＵが実行する機器状態の連動表示制御処理手順を示すフローチャートである。
【図７】図６に示す色テーブルの説明図である。
【図８】図６に示す情報テーブルに従って表示されたカラー液晶ディスプレイの表示画面例を示す図である。
【符号の説明】
【００４６】
１  医療用プリンタ
２  カラー液晶ディスプレイ
４  外部表示灯
５  乳白色半透明体
６Ｒ  赤色発光ダイオード
６Ｙ  黄色発光ダイオード
６Ｇ  緑色発光ダイオード
７  院内ＬＡＮ
１１  ＣＰＵ
１８  外部表示灯用ドライバ
【図１】
2005087617.tif 000003
【図２】
2005087617.tif 000004
【図３】
2005087617.tif 000005
【図４】
2005087617.tif 000006
【図５】
2005087617.tif 000007
【図６】
2005087617.tif 000008
【図７】
2005087617.tif 000009
【図８】
2005087617.tif 000010